(57)【要約】【課題】番組提供者が容易かつ確実に番組連動情報を視聴者に届けること。【解決手段】本発明の情報端末２０は、表示部２１と、タッチパネル２２と、制御部２６と、を有する。制御部２６は、表示部２１にリモコン画面を表示させている状態でタッチパネル２２上で視聴者が切替先の番組を選択する操作を行うと、切替先の番組への切り替えを指示する切替信号をテレビ１０に送信すると共に、切替先の番組に連動する番組連動情報を取得し、表示部２１に表示させる表示内容をリモコン画面から番組連動情報に変更する。【選択図】図３
2015039103.tif 000002
【特許請求の範囲】
【請求項１】
テレビの番組を切り替えるリモコン機能を備えた情報端末であって、
表示部と、
操作部と、
前記表示部にリモコン画面を表示させている状態で前記操作部にて切替先の番組を選択する操作が行われると、切替先の番組への切り替えを指示する切替信号を前記テレビまたは前記テレビに接続されたチューナ機能を備えた電子機器に送信すると共に、切替先の番組に連動する番組連動情報を取得し、前記表示部に表示させる表示内容を前記リモコン画面から前記番組連動情報に変更する制御部と、を有する情報端末。
【請求項２】
前記制御部は、
前記番組連動情報の前記表示部への表示を、前記操作部にて切替先の番組を選択する操作が行われてから予め決められた時間経過後に行う、請求項１に記載の情報端末。
【請求項３】
前記操作部は、
物理的な操作ボタンを含み、
前記制御部は、
前記操作ボタンを押下する操作が行われると、前記リモコン画面を前記表示部に表示させる、請求項１または２に記載の情報端末。
【請求項４】
前記制御部は、
番組表を取得し、取得した番組表を前記リモコン画面として前記表示部に表示させ、
前記操作部にて前記番組表に掲載された番組のいずれかを選択する操作が行われると、当該操作を切替先の番組を選択する操作として受け付ける、請求項１から３のいずれか１項に記載の情報端末。
【請求項５】
スピーカをさらに有し、
前記制御部は、
放送中の各番組の映像および音声を取得し、
放送中の各番組の映像を前記リモコン画面として前記表示部に表示させ、
前記操作部にて映像を表示している番組のいずれかを選択する操作が行われると、選択された番組の映像を前記表示部に拡大表示させると共に、選択された番組の音声を前記スピーカに音声出力させ、
前記操作部にて映像を拡大表示し音声を音声出力している番組を選択する操作が行われると、当該操作を切替先の番組を選択する操作として受け付ける、請求項１から３のいずれか１項に記載の情報端末。
【請求項６】
前記制御部は、
切替先の番組の放送が終了すると、次の番組の放送が開始する時刻よりも予め決められた時間前に、切替先の番組の内容に関連する番組関連情報を取得し、前記表示部に前記リモコン画面と共に前記番組関連情報を表示させる、請求項１から５のいずれか１項に記載の情報端末。
【請求項７】
前記制御部は、
前記番組連動情報を前記表示部に表示させてから予め決められた時間が経過した時点で、前記番組連動情報に対する操作が行われていない場合は、前記表示部に表示させる表示内容を前記番組連動情報から前記リモコン画面に戻す、請求項１から６のいずれか１項に記載の情報端末。
【請求項８】
前記制御部は、
前記表示部に表示させる表示内容を前記番組連動情報から前記リモコン画面に戻したらカウンタをインクリメントし、前記番組連動情報に対する操作が行われたらカウント値をリセットすることとし、
前記カウンタ値が予め決められた値に達したら、以降に前記操作部にて切替先の番組を選択する操作が行われても、前記表示部に前記リモコン画面を継続して表示させる、請求項７に記載の情報端末。
【請求項９】
請求項１から８のいずれか１項に記載の情報端末を含むテレビシステムであって、
計測サーバをさらに含み、
前記情報端末の前記制御部は、
前記操作部にて切替先の番組を選択する操作が行われると、切替先の番組を表す切替先番組情報を前記計測サーバに送信し、
前記計測サーバは、
前記切替先番組情報を基に、放送中の各番組の視聴者数を計測し、計測結果を予め決められた送信先に送信する、テレビシステム。
【発明の詳細な説明】
【技術分野】
【０００１】
本発明は、テレビの番組に連動する番組連動情報を提供するための技術に関する。
【背景技術】
【０００２】
近年、テレビの番組を提供する番組提供業者は、番組に連動する様々な番組連動情報を提供するようになっている。番組連動情報は、例えば、番組が実施するアンケートに回答するためのアプリケーション、クイズ番組であればクイズに回答するためのアプリケーション、ドラマ番組であれば今後のストーリーを決めるためのアプリケーション、スポーツ番組であれば応援メッセージを送信するためのアプリケーション等が挙げられる。
【０００３】
ここで、番組連動情報の提供方法としては、例えば、番組の画面に、番組連動情報を取得可能なＷｅｂサイトのＵＲＬ（Uniform Resource Locator）を含む二次元コードを表示する方法がある（例えば、特許文献１）。この方法によれば、視聴者は、携帯電話機などで、画面に表示された二次元コードを読み取ってＷｅｂサイトへアクセスし、Ｗｅｂサイトから番組連動情報を取得する。
【先行技術文献】
【特許文献】
【０００４】
【特許文献１】特開２００６−０９４２２２号公報
【発明の概要】
【発明が解決しようとする課題】
【０００５】
番組連動情報は、テレビの番組に連動するもので、番組連動情報を利用すれば、視聴者も番組をより楽しく視聴できるようになる。そのため、番組提供者にとっては、より多くの視聴者に番組連動情報を届けたいという要求がある。
【０００６】
しかしながら、特許文献１に記載の方法は、視聴者が携帯電話機などで二次元コードを読み取るという処理が必要であり、このような手間が掛かる処理を視聴者が行わなければ、番組連動情報を視聴者に届けることができないという課題がある。
【０００７】
そこで、本発明の目的は、番組提供者が容易かつ確実に番組連動情報を視聴者に届けることができる技術を提供することにある。
【課題を解決するための手段】
【０００８】
本発明の情報端末は、
テレビの番組を切り替えるリモコン機能を備えた情報端末であって、
表示部と、
操作部と、
前記表示部にリモコン画面を表示させている状態で前記操作部にて切替先の番組を選択する操作が行われると、切替先の番組への切り替えを指示する切替信号を前記テレビまたは前記テレビに接続されたチューナ機能を備えた電子機器に送信すると共に、切替先の番組に連動する番組連動情報を取得し、前記表示部に表示させる表示内容を前記リモコン画面から前記番組連動情報に変更する制御部と、を有する。
【０００９】
本発明のテレビシステムは、
前記情報端末を含むテレビシステムであって、
計測サーバをさらに含み、
前記情報端末の前記制御部は、
前記操作部にて切替先の番組を選択する操作が行われると、切替先の番組を表す切替先番組情報を前記計測サーバに送信し、
前記計測サーバは、
前記切替先番組情報を基に、放送中の各番組の視聴者数を計測し、計測結果を予め決められた送信先に送信する。
【発明の効果】
【００１０】
本発明によれば、情報端末は、操作部にて切替先の番組を選択する操作が行われると、切替先の番組への切り替えを指示する切替信号をテレビまたはテレビに接続されたチューナ機能を備えた電子機器に送信すると共に、切替先の番組の番組連動情報を取得して、表示部に表示させる表示内容をリモコン画面から番組連動情報に変更する。
【００１１】
そのため、番組提供者は、容易かつ確実に番組連動情報を視聴者の情報端末に届けることができるという効果が得られる。
【図面の簡単な説明】
【００１２】
【図１】本発明の第１の実施形態のテレビシステムの全体構成を示す図である。
【図２】本発明の第１の実施形態の情報端末の外観図である。
【図３】本発明の第１の実施形態の情報端末の機能ブロック図である。
【図４】本発明の第１の実施形態のテレビシステムにおける、切替先の番組を選択する時の動作を説明するシーケンス図である。
【図５】本発明の第１の実施形態の情報端末における、切替先の番組を選択する時の画面を説明する図である。
【図６】本発明の第１の実施形態のテレビシステムにおける、切替先の番組の放送が終了した時の動作を説明するシーケンス図である。
【図７】本発明の第１の実施形態の情報端末における、切替先の番組の放送が終了した時の画面を説明する図である。
【図８】本発明の第２の実施形態のテレビシステムの全体構成を示す図である。
【図９】本発明の第２の実施形態の情報端末の機能ブロック図である。
【図１０】本発明の第２の実施形態のテレビシステムにおける、切替先の番組を選択する時の動作を説明するシーケンス図である。
【図１１】本発明の第２の実施形態の情報端末における、切替先の番組を選択する時の画面を説明する図である。
【図１２】本発明の第２の実施形態のテレビシステムにおける、切替先の番組の放送が終了した時の動作を説明するシーケンス図である。
【図１３】本発明の第２の実施形態の情報端末における、切替先の番組の放送が終了した時の画面を説明する図である。
【発明を実施するための形態】
【００１３】
以下に、本発明を実施するための形態について図面を参照して説明する。
（１）第１の実施形態
図１は、本発明の第１の実施形態のテレビシステムの全体構成を示す図である。
【００１４】
図１を参照すると、本実施形態のテレビシステムは、テレビ１０と、情報端末２０と、情報配信サーバ３０と、番組表作成サーバ４０と、計測サーバ５０と、を有している。
【００１５】
テレビ１０および情報端末２０は、家庭内ネットワークを介して互いに接続されている。また、テレビ１０および情報端末２０は、家庭内ネットワークを介してインターネットに接続可能である。また、インターネット上には、情報配信サーバ３０、番組表作成サーバ４０、および計測サーバ５０が設けられている。
【００１６】
なお、図１においては、説明の簡略化のため、インターネットに家庭内ネットワークが１つだけ接続されているが、実際には、インターネットに家庭内ネットワークが複数接続されている。また、家庭内ネットワークに接続されるテレビ１０および情報端末２０の数は１つに限定されず、また、情報配信サーバ３０の数も１つに限定されない。例えば、情報配信サーバ３０は、番組提供者ごとに設けても良い。
【００１７】
テレビ１０は、テレビの番組のテレビ信号を受信するチューナ機能を備えており、受信したテレビ信号を再生して番組を表示する。
【００１８】
情報端末２０は、テレビ１０に表示する番組を切り替えるリモコン機能を備える。具体的には、情報端末２０は、リモコン画面を表示している状態で視聴者が切替先の番組を選択する操作を行うと、視聴者が選択した切替先の番組への切り替えを指示する切替信号をテレビ１０に送信する。
【００１９】
また、情報端末２０は、視聴者が切替先の番組を選択する操作を行うと、視聴者が選択した切替先の番組に連動する番組連動情報を情報配信サーバ３０から取得して表示する機能を備える。
【００２０】
番組連動情報は、番組の番組提供者が情報配信サーバ３０に提供するものであり、例えば、上述のように、番組が実施するアンケートに回答するためのアプリケーション、クイズ番組であればクイズに回答するためのアプリケーション、ドラマ番組であれば今後のストーリーを決めるためのアプリケーション、スポーツ番組であれば応援メッセージを送信するためのアプリケーション等が挙げられる。
【００２１】
また、情報端末２０は、視聴者が切替先の番組を選択する操作を行うと、視聴者が選択した切替先の番組を表す切替先番組情報を計測サーバ５０に送信する機能を備える。
【００２２】
また、情報端末２０は、切替先の番組の放送が終了すると、切替先の番組の内容に関連する番組関連情報を情報配信サーバ３０から取得して表示する機能を備える。
【００２３】
番組関連情報は、番組の番組提供者やスポンサー等が情報配信サーバ３０に提供するもので、その番組の視聴者の嗜好に応じた情報であり、例えば、ドラマ番組や映画番組であれば舞台となっている土地へのツアーを紹介するＷｅｂサイトの情報、番組の出演者が着ていた衣装を紹介するＷｅｂサイトの情報、同じ出演者が出演する番組や同じジャンルの番組を紹介するＷｅｂサイトの情報等が挙げられる。
【００２４】
情報配信サーバ３０は、番組ごとに、その番組の識別子と、その番組の番組連動情報と、その番組の番組関連情報と、を対応付けて登録しており、情報端末２０から、番組の番組連動情報または番組関連情報の配信を要求する配信要求信号（番組の識別子を含む）を受信すると、その番組の番組連動情報または番組関連情報を情報端末２０に配信する。
【００２５】
番組表作成サーバ４０は、番組提供者が提供する番組情報（番組の開始／終了時刻、番組内容等）を基に番組表を作成し、情報端末２０から番組表の配信を要求する配信要求信号を受信すると、番組表を情報端末２０に配信する。
【００２６】
計測サーバ５０は、情報端末２０からの切替先番組情報を基に、放送中の各番組の視聴者数を計測し、計測結果を予め決められた送信先に送信する。
【００２７】
なお、計測結果の送信先としては、情報端末２０、番組表作成サーバ４０、番組提供者のサーバ（不図示）等が考えられる。計測結果の送信先を番組表作成サーバ４０とする場合、番組表作成サーバ４０は、番組表に計測結果を掲載することができる。この場合、情報端末２０には計測結果が直接的には送信されないものの、視聴者は、情報端末２０に表示される番組表を見て、放送中の各番組の視聴者数を知ることができる。
【００２８】
ここで、本実施形態の情報端末２０について詳細に説明する。
【００２９】
図２は、本実施形態の情報端末２０の外観図、図３は、本実施形態の情報端末２０の機能ブロック図である。
【００３０】
図２および図３を参照すると、本実施形態の情報端末２０は、表示部２１と、タッチパネル２２と、操作ボタン２３と、通信部２４と、記憶部２５と、制御部２６と、を有している。なお、本実施形態においては、タッチパネル２２および操作ボタン２３で操作部を構成している（以降の第２の実施形態でも同じ）。
【００３１】
表示部２１は、番組表、番組連動情報、番組関連情報等を表示する。
【００３２】
タッチパネル２２は、視聴者の指やスタイラスによるタッチを検知すると共に、タッチされた位置を検知する。なお、制御部２６は、タッチパネル２２がタッチを検知した位置と、その位置に表示されている表示内容に従って、視聴者の操作内容を判断する。
【００３３】
操作ボタン２３は、情報端末２０の筐体に設けられた物理的なボタンであり、そのうちの１つはリモコンボタン２３Ａになっている。
【００３４】
通信部２４は、家庭内ネットワークを介してテレビ１０と通信すると共に、家庭内ネットワークおよびインターネットを介して、情報配信サーバ３０、番組表作成サーバ４０、および計測サーバ５０と通信する。
【００３５】
記憶部２５は、番組表、番組連動情報、番組関連情報等を記憶する。
【００３６】
制御部２６は、情報端末２０内の構成要素を制御して各種の処理を行う。なお、制御部２６が行う処理の具体例は後述する。
【００３７】
以下、本実施形態のテレビシステムの動作について説明する。以下では、計測サーバ５０の計測結果の送信先が番組表作成サーバ４０であるとする。
（Ａ）切替先の番組を選択する時の動作
まず、視聴者が切替先の番組を選択する時の動作について図４および図５を参照して説明する。
【００３８】
図４は、本実施形態のテレビシステムにおける、切替先の番組を選択する時の動作を説明するシーケンス図、図５は、本実施形態の情報端末２０における、切替先の番組を選択する時の画面を説明する図である。
【００３９】
図４を参照すると、情報端末２０の電源がＯＦＦの状態で、視聴者がリモコンボタン２３Ａを押下する操作を行ったとする（ステップＡ１０１。図５の左図参照）。
【００４０】
すると、情報端末２０の電源はＯＮ状態になり、情報端末２０の制御部２６は、番組表の配信を要求する配信要求信号を番組表作成サーバ４０に送信する（ステップＡ１０２）。これを受けて、番組表作成サーバ４０は、番組表を情報端末２０に配信し（ステップＡ１０３）、情報端末２０の制御部２６は、番組表作成サーバ４０から配信された番組表をリモコン画面として表示部２１に表示させる（ステップＡ１０４。図５の中図参照）。
【００４１】
なお、ステップＡ１０４で表示される番組表には、その時点までに計測サーバ５０が放送中の各番組の視聴者数を計測していて、かつ、その計測結果を基に番組表作成サーバ４０が番組表を更新している場合には、その計測結果が反映されている。
【００４２】
続いて、視聴者が番組表に掲載された放送中の番組のいずれかを、タッチパネル２２上でタッチして選択する操作を行ったとする（ステップＡ１０５。図５の中図参照）。この操作は、切替先の番組を選択する操作として、情報端末２０の制御部２６に受け付けられる。
【００４３】
すると、情報端末２０の制御部２６は、視聴者が選択した切替先の番組への切り替えを指示する切替信号をテレビ１０に送信する（ステップＡ１０６）。これを受けて、テレビ１０は、切替先の番組への切り替えを行う（ステップＡ１０７）。
【００４４】
これと同時に、情報端末２０の制御部２６は、視聴者が選択した切替先の番組を表す切替先番組情報を計測サーバ５０に送信する（ステップＡ１０８）。これを受けて、計測サーバ５０は、情報端末２０からの切替先番組情報を基に、放送中の各番組の視聴者数を再計測し（ステップＡ１０９）、この計測結果を番組表作成サーバ４０に送信する（ステップＡ１１０）。これを受けて、番組表作成サーバ４０は、番組表を更新し、計測サーバ５０が再計測した新たな計測結果を番組表に掲載する（ステップＡ１１１）。
【００４５】
さらに、情報端末２０の制御部２６は、視聴者が選択した切替先の番組の識別子を含み、切替先の番組の番組連動情報の配信を要求する配信信号を情報配信サーバ３０に送信する（ステップＡ１１２）。これを受けて、情報配信サーバ３０は、切替先の番組の識別子に対応付けて登録されている番組連動情報を情報端末２０に配信し（ステップＡ１１３）、情報端末２０の制御部２６は、表示部２１に表示させる表示内容を、情報配信サーバ３０から配信された番組連動情報に変更し、番組連動情報を表示部２１に全画面表示させる（ステップＡ１１４。図５の右図参照）。
【００４６】
なお、図４においては、情報端末２０の制御部２６は、視聴者が切替先の番組を選択する操作を行った時点で、情報配信サーバ３０から番組連動情報を取得したが、これには限定されない。例えば、情報端末２０の制御部２６は、情報配信サーバ３０から予め番組連動情報を取得して記憶部２５に記憶させておき、記憶部２５から番組連動情報を取得しても良い。
【００４７】
また、図４においては、視聴者が放送中の番組を選択する操作を行うものとして説明したが（図５の中図参照）、視聴者が以降に放送される番組を選択する操作を行うことも考えられる。この場合、情報端末２０の制御部２６は、その番組が放送される時刻またはその時刻よりも予め決められた時間前に、その番組への切替信号をテレビ１０に送信すると共に、その番組の番組連動情報を取得して表示部２１に表示させれば良い。
【００４８】
また、図４においては、計測サーバ５０は、情報端末２０から切替先番組情報を受信した時点で、視聴者数を計測したが、これには限定されない。すなわち、計測サーバ５０は、予め決められた期間ごとに視聴者数を計測しても良いし、切替先番組情報が予め決められた数分増えた時点で視聴者数を計測しても良い。
【００４９】
また、図４においては、計測サーバ５０は、視聴者数を計測した時点で、計測結果を番組表作成サーバ４０に送信したが、これには限定されない。すなわち、計測サーバ５０は、予め決められた期間ごとに、その時点の計測結果を番組表作成サーバ４０に送信しても良い。
【００５０】
また、図４においては、番組表作成サーバ４０は、計測サーバ５０から計測結果を受信した時点で、番組表を更新したが、これには限定されない。例えば、番組表作成サーバ４０は、予め決められた期間ごとに、計測サーバ５０から直近に受信した計測結果を基に、番組表を更新しても良い。
（Ｂ）切替先の番組の放送が終了した時の動作
続いて、視聴者が選択した切替先の番組の放送が終了した時の動作について図６および図７を参照して説明する。
【００５１】
図６は、本実施形態のテレビシステムにおける、切替先の番組の放送が終了した時の動作を説明するシーケンス図、図７は、本実施形態の情報端末２０における、切替先の番組の放送が終了した時の画面を説明する図である。
【００５２】
図６を参照すると、情報端末２０の制御部２６は、視聴者が選択した切替先の番組の放送が終了すると（ステップＢ１０１）、同じチャンネルの次の番組の放送が開始する時刻を確認する（ステップＢ１０２）。なお、切替先の番組の放送の終了や、次の番組の放送の開始時刻は、番組表の情報を基に判断することができる。
【００５３】
次に、情報端末２０の制御部２６は、次の番組の放送が開始する時刻よりも予め決められた時間前に、視聴者が選択した切替先の番組の識別子を含み、切替先の番組の番組関連情報の配信を要求する配信信号を情報配信サーバ３０に送信する（ステップＢ１０３）。これを受けて、情報配信サーバ３０は、切替先の番組の識別子に対応付けて登録されている番組関連情報を情報端末２０に配信する（ステップＢ１０４）。
【００５４】
これと同時に、情報端末２０の制御部２６は、番組表の配信を要求する配信要求信号を番組表作成サーバ４０に送信する（ステップＢ１０５）。これを受けて、番組表作成サーバ４０は、番組表を情報端末２０に配信する（ステップＢ１０６）。
【００５５】
その後、情報端末２０の制御部２６は、番組表作成サーバ４０から配信された番組表と共に、情報配信サーバ３０から配信された番組関連情報を表示部２１に表示させる（ステップＢ１０７。図７参照）。例えば、番組関連情報がＷｅｂサイトの情報を表す場合、その番組関連情報を視聴者が選択すると、情報端末２０の制御部２６は、その番組関連情報が表すＷｅｂサイトの画面を取得して表示部２１に表示させる。
【００５６】
なお、図６においては、情報端末２０の制御部２６は、次の番組の放送が開始する時刻よりも予め決められた時間前になった時点で、情報配信サーバ３０から番組関連情報を取得したが、これには限定されない。例えば、情報端末２０の制御部２６は、情報配信サーバ３０から予め番組関連情報を取得して記憶部２５に記憶させておき、記憶部２５から番組関連情報を取得しても良い。
【００５７】
また、図７においては、情報端末２０の制御部２６は、番組表の上に番組関連情報を重ねて表示したが、番組表と番組関連情報との配置関係はこれに限定されない。
【００５８】
上述したように本実施形態においては、情報端末２０の制御部２６は、視聴者が切替先の番組を選択する操作を行うと、切替先の番組への切り替えを指示する切替信号をテレビ１０に送信すると共に、切替先の番組の番組連動情報を取得して、表示部２１に表示させる表示内容をリモコン画面から番組連動情報に変更する。
【００５９】
そのため、番組提供者は、容易かつ確実に番組連動情報を視聴者の情報端末２０に届けることができるという効果が得られる。また、視聴者は、テレビ１０で番組を視聴しつつ、その番組の番組連動情報を情報端末２０で閲覧するというスタイルで、番組視聴を楽しむことができるという効果が得られる。
【００６０】
また、本実施形態においては、情報端末２０の制御部２６は、視聴者が切替先の番組を選択する操作を行うと、視聴者が選択した切替先の番組を表す切替先番組情報を計測サーバ５０に送信し、計測サーバ５０は、切替先番組情報を基に放送中の各番組の視聴者数を計測し、計測結果を予め決められた送信先に送信する。
【００６１】
ここで、計測結果の送信先を、情報端末２０や番組提供者のサーバ（不図示）にした場合、各番組の視聴者数を、視聴者や番組提供者の間で共有できるという効果が得られる。なお、計測結果の送信先を番組表作成サーバ４０とし、番組表作成サーバ４０が計測結果を番組表に掲載することでも、視聴者が各番組の視聴者数を知ることができる。
【００６２】
また、計測サーバ５０は、各番組の視聴者数を計測するため、視聴者や番組提供者は、各番組の視聴実績を、視聴率などの比率ではなく、実数値として確認することができるため、より直感的に視聴実績を把握することができるという効果が得られる。
【００６３】
また、本実施形態においては、情報端末２０の制御部２６は、視聴者が選択した切替先の番組の放送が終了すると、切替先の番組の内容に関連する番組関連情報を取得して表示部２１に表示させる。
【００６４】
そのため、番組提供者やスポンサー等は、視聴者の嗜好に合った情報を視聴者に紹介することができ、視聴者の活動を支援することができるという効果が得られる。
【００６５】
また、本実施形態においては、情報端末２０上の物理的なリモコンボタン２３Ａにリモコン機能の呼び出し機能を割り当て、情報端末２０の制御部２６は、リモコンボタン２３Ａが押下されると、番組表をリモコン画面として表示する。
【００６６】
そのため、視聴者は、複雑な操作を行うことなく、リモコンボタン２３Ａの押下という簡単な操作で、リモコン機能を呼び出すことができるという効果が得られる。
（２）第２の実施形態
第１の実施形態においては、情報端末２０は、リモコン画面として番組表を表示していた。
【００６７】
しかし、番組表は、番組内容を文字で表すものであるため、視聴者は、番組表を閲覧するだけでは、番組の様子がわからず、その番組が視聴したい番組であるか否かを判断できないことも多々あると考えられる。
【００６８】
そこで、本実施形態は、第１の実施形態と比較して、視聴者が番組の様子を簡単に判断できるように、リモコン画面を変更している。
【００６９】
図８は、本発明の第２の実施形態のテレビシステムの全体構成を示す図である。
【００７０】
図８を参照すると、本実施形態のテレビシステムは、第１の実施形態と比較して、映像／音声配信サーバ６０を追加した構成になっている。
【００７１】
映像／音声配信サーバ６０は、情報端末２０から、放送中の各番組の映像および音声の配信を要求する配信要求信号を受信すると、放送中の各番組の映像および音声を情報端末２０に配信する。
【００７２】
図９は、本実施形態の情報端末２０の機能ブロック図である。
【００７３】
図９を参照すると、本実施形態の情報端末２０は、第１の実施形態と比較して、スピーカ２７を追加した構成になっている。
【００７４】
スピーカ２７は、番組の音声等を音声出力する。
【００７５】
なお、本実施形態の情報端末２０の外観構成は、任意の位置にスピーカ２７を設けること以外は第１の実施形態と同様である。
【００７６】
以下、本実施形態のテレビシステムの動作について説明する。以下では、第１の実施形態と同様に、計測サーバ５０の計測結果の送信先が番組表作成サーバ４０であるとする。
（Ａ）切替先の番組を選択する時の動作
まず、視聴者が切替先の番組を選択する時の動作について図１０および図１１を参照して説明する。
【００７７】
図１０は、本実施形態のテレビシステムにおける、切替先の番組を選択する時の動作を説明するシーケンス図、図１１は、本実施形態の情報端末２０における、切替先の番組を選択する時の画面を説明する図である。
【００７８】
図１０を参照すると、情報端末２０の電源がＯＦＦの状態で、視聴者がリモコンボタン２３Ａを押下する操作を行ったとする（ステップＡ２０１。図１１の左図参照）。
【００７９】
すると、情報端末２０の電源はＯＮ状態になり、情報端末２０の制御部２６は、放送中の各番組の映像および音声の配信を要求する配信要求信号を映像／音声配信サーバ６０に送信する（ステップＡ２０２）。これを受けて、映像／音声配信サーバ６０は、放送中の各番組の映像および音声を情報端末２０に配信し（ステップＡ２０３）、情報端末２０の制御部２６は、映像／音声配信サーバ６０から配信された放送中の各番組の映像をリモコン画面として表示部２１に表示させる（ステップＡ２０４。図１１の中図参照）。
【００８０】
続いて、視聴者が放送中の各番組の映像のいずれかを、タッチパネル２２上でタッチして番組を選択する操作を行ったとする（ステップＡ２０５。図１１の中図参照）。
【００８１】
すると、情報端末２０の制御部２６は、視聴者が選択した番組の映像を表示部２１に拡大表示させると共に、視聴者が選択した番組の音声をスピーカ２７に音声出力させる（ステップＡ２０６。図１１の右図参照）。
【００８２】
続いて、視聴者が拡大表示されている番組の映像を、タッチパネル２２上でタッチして番組を選択する操作を行ったとする（ステップＡ２０７。図１１の右図参照）。この操作は、切替先の番組を選択する操作として、情報端末２０の制御部２６に受け付けられる。
【００８３】
すると、情報端末２０の制御部２６は、視聴者が選択した切替先の番組への切り替えを指示する切替信号をテレビ１０に送信する（ステップＡ２０８）。これを受けて、テレビ１０は、切替先の番組への切り替えを行う（ステップＡ２０９）。
【００８４】
これと同時に、情報端末２０の制御部２６は、視聴者が選択した切替先の番組を表す切替先番組情報を計測サーバ５０に送信する（ステップＡ２１０）。これを受けて、計測サーバ５０は、情報端末２０からの切替先番組情報を基に、放送中の各番組の視聴者数を再計測し（ステップＡ２１１）、この計測結果を番組表作成サーバ４０に送信する（ステップＡ２１２）。これを受けて、番組表作成サーバ４０は、番組表を更新し、計測サーバ５０が再計測した新たな計測結果を番組表に掲載する（ステップＡ２１３）。
【００８５】
さらに、情報端末２０の制御部２６は、視聴者が選択した切替先の番組の識別子を含み、切替先の番組の番組連動情報の配信を要求する配信信号を情報配信サーバ３０に送信する（ステップＡ２１４）。これを受けて、情報配信サーバ３０は、切替先の番組の識別子に対応付けて登録されている番組連動情報を情報端末２０に配信し（ステップＡ２１５）、情報端末２０の制御部２６は、表示部２１に表示させる表示内容を、情報配信サーバ３０から配信された番組連動情報に変更し、番組連動情報を表示部２１に全画面表示させる（ステップＡ２１６）。ステップＡ２１６で表示される画面は、図５の右図に示した画面と同様である。
【００８６】
なお、図１０においては、情報端末２０の制御部２６は、視聴者が切替先の番組を選択する操作を行った時点で、情報配信サーバ３０から番組連動情報を取得したが、これには限定されない。例えば、情報端末２０の制御部２６は、情報配信サーバ３０から予め番組連動情報を取得して記憶部２５に記憶させておき、記憶部２５から番組連動情報を取得しても良い。
【００８７】
また、図１０においては、視聴者が拡大表示されている番組の映像を選択する操作を行うものとして説明したが（図１１の右図参照）、視聴者が「戻る」ボタンをタッチする操作を行うことも考えられる。この場合、情報端末２０の制御部２６は、ステップＡ２０２に戻り、放送中の各番組の映像を表示部２１に表示させる（図１１の中図参照）。
【００８８】
また、図１０においては、計測サーバ５０は、情報端末２０から切替先番組情報を受信した時点で、視聴者数を計測したが、これには限定されない。すなわち、計測サーバ５０は、予め決められた期間ごとに視聴者数を計測しても良いし、切替先番組情報が予め決められた数分増えた時点で視聴者数を計測しても良い。
【００８９】
また、図１０においては、計測サーバ５０は、視聴者数を計測した時点で、計測結果を番組表作成サーバ４０に送信したが、これには限定されない。すなわち、計測サーバ５０は、予め決められた期間ごとに、その時点の計測結果を番組表作成サーバ４０に送信しても良い。
【００９０】
また、図１０においては、番組表作成サーバ４０は、計測サーバ５０から計測結果を受信した時点で、番組表を更新したが、これには限定されない。例えば、番組表作成サーバ４０は、予め決められた期間ごとに、計測サーバ５０から直近に受信した計測結果を基に、番組表を更新しても良い。
（Ｂ）切替先の番組の放送が終了した時の動作
続いて、視聴者が選択した切替先の番組の放送が終了した時の動作について図１２および図１３を参照して説明する。
【００９１】
図１２は、本実施形態のテレビシステムにおける、切替先の番組の放送が終了した時の動作を説明するシーケンス図、図１３は、本実施形態の情報端末２０における、切替先の番組の放送が終了した時の画面を説明する図である。
【００９２】
図１２を参照すると、情報端末２０の制御部２６は、視聴者が選択した切替先の番組の放送が終了すると（ステップＢ２０１）、同じチャンネルの次の番組の放送が開始する時刻を確認する（ステップＢ２０２）。なお、切替先の番組の放送の終了や、次の番組の放送の開始時刻は、制御部２６が番組表作成サーバ４０から番組表を取得することとして、その番組表の情報を基に判断することができる。
【００９３】
次に、情報端末２０の制御部２６は、次の番組の放送が開始する時刻よりも予め決められた時間前に、視聴者が選択した切替先の番組の識別子を含み、切替先の番組の番組関連情報の配信を要求する配信信号を情報配信サーバ３０に送信する（ステップＢ２０３）。これを受けて、情報配信サーバ３０は、切替先の番組の識別子に対応付けて登録されている番組関連情報を情報端末２０に配信する（ステップＢ２０４）。
【００９４】
これと同時に、情報端末２０の制御部２６は、放送中の各番組の映像および音声の配信を要求する配信要求信号を映像／音声配信サーバ６０に送信する（ステップＢ２０５）。これを受けて、映像／音声配信サーバ６０は、放送中の各番組の映像および音声を情報端末２０に配信する（ステップＢ２０６）。
【００９５】
その後、情報端末２０の制御部２６は、映像／音声配信サーバ６０から配信された放送中の各番組の映像と共に、情報配信サーバ３０から配信された番組関連情報を表示部２１に表示させる（ステップＢ２０７。図１３参照）。例えば、番組関連情報がＷｅｂサイトの情報を表す場合、その番組関連情報を視聴者が選択すると、情報端末２０の制御部２６は、その番組関連情報が表すＷｅｂサイトの画面を取得して表示部２１に表示させる。
【００９６】
なお、図１２においては、情報端末２０の制御部２６は、次の番組の放送が開始する時刻よりも予め決められた時間前になった時点で、情報配信サーバ３０から番組関連情報を取得したが、これには限定されない。例えば、情報端末２０の制御部２６は、情報配信サーバ３０から予め番組関連情報を取得して記憶部２５に記憶させておき、記憶部２５から番組関連情報を取得しても良い。
【００９７】
また、図１３においては、情報端末２０の制御部２６は、放送中の各番組の映像の上に番組関連情報を重ねて表示したが、放送中の各番組の映像と番組関連情報との配置関係はこれに限定されない。
【００９８】
上述したように本実施形態においては、情報端末２０の制御部２６は、放送中の各番組の映像をリモコン画面として表示部２１に表示させる。
【００９９】
そのため、視聴者は、番組の様子を簡単に判断することができ、その番組が視聴したい番組であるか否かを簡単に判断することができるという効果が得られる。
【０１００】
その他の効果は第１の実施形態と同様である。
【０１０１】
以上、実施形態を参照して本発明を説明したが、本発明は上記実施形態に限定されるものではない。本発明の構成や詳細には、本発明の範囲内で当業者が理解し得る様々な変更をすることができる。
【０１０２】
例えば、第１および第２の実施形態においては、情報端末２０の制御部２６は、視聴者が切替先の番組を選択する操作を行った時点で、番組連動情報を表示部２１に表示させることを想定しているが、これには限定されない。通常、視聴者は、切り替えた番組を継続して視聴するか否かを即座には判断せず、その番組をしばらく視聴してから決定する。
【０１０３】
そこで、情報端末２０の制御部２６は、視聴者が切替先の番組を選択する操作を行ってから予め決められた時間が経過した時点で、番組連動情報を表示部２１に表示させても良い。
【０１０４】
また、第１および第２の実施形態においては、情報端末２０の制御部２６は、番組連動情報を表示部２１に表示させた後も、継続表示することを想定しているが、これには限定されない。番組連動情報は、視聴者が番組をより楽しく視聴できるようにするための情報であるが、視聴者が番組連動情報を長期間操作しない場合は、その番組連動情報に視聴者が興味がないと考えられる。
【０１０５】
そこで、情報端末２０の制御部２６は、番組連動情報を表示部２１に表示させてから予め決められた時間が経過した時点で、番組連動情報に対する操作が行われていない場合は、表示部２１に表示させる表示内容をリモコン画面に戻しても良い。
【０１０６】
また、通常、視聴者は、テレビ１０の視聴時には、番組の切り替えを繰り返すが、上述した、表示部２１に表示させる表示内容を番組連動情報からリモコン画面に戻す動作が続いた場合は、視聴者は、どのような番組連動情報であっても興味がないと考えられる。
【０１０７】
そこで、情報端末２０の制御部２６は、表示部２１に表示させる表示内容を番組連動情報からリモコン画面に戻す動作が続いた場合は、以降に視聴者が切替先の番組を選択する操作を行ったとしても、表示部２１に番組連動情報を表示させず、継続してリモコン画面を表示させても良い。
【０１０８】
この場合、例えば、情報端末２０の制御部２６は、番組連動情報からリモコン画面に戻す動作を行ったらカウンタをインクリメントし、番組連動情報に対する操作が行われたらカウント値をリセットすることとし、その結果として、カウンタ値が予め決められた値に達したら、以降に視聴者が切替先の番組を選択する操作を行ったとしても、表示部２１に番組連動情報を表示させず、継続してリモコン画面を表示させる。
【０１０９】
また、情報端末２０の制御部２６は、第１の実施形態と第２の実施形態とでリモコン画面を異ならせていたが、どちらのリモコン画面を表示するかを視聴者に選択させても良い。この場合、情報端末２０の制御部２６は、リモコン画面を表示する前に、どちらのリモコン画面を表示するかを選択させる選択画面を表示部２１に表示させ、この選択画面上で視聴者が選択したリモコン画面を表示部２１に表示させれば良い。
【０１１０】
また、第１および第２の実施形態においては、情報端末２０の制御部２６は、家庭内ネットワークを介してテレビ１０を操作することを想定しているが、既存の赤外線通信でテレビ１０を操作することとしても良い。
【０１１１】
また、第１および第２の実施形態においては、リモコン画面で切替先の番組を選択する操作について示したが、第１および第２の実施形態のリモコン画面共に、テレビ１０の音量を調整する操作や、テレビ１０の電源をＯＮ／ＯＦＦする操作を可能としても良い。
【０１１２】
また、第１および第２の実施形態においては、情報端末２０の制御部２６は、切替先の番組への切り替えを指示する切替信号の送信先をテレビ１０としたが、ＳＴＢ（Set Top Box：セットトップボックス）やレコーダ等のチューナ機能を備えた電子機器をテレビ１０に接続して使用するテレビシステムの場合は、その電子機器を切替信号の送信先とすれば良い。
【符号の説明】
【０１１３】
１０    テレビ
２０    情報端末
２１    表示部
２２    タッチパネル
２３    操作ボタン
２４    通信部
２５    記憶部
２６    制御部
２７    スピーカ
３０    情報配信サーバ
４０    番組表作成サーバ
５０    計測サーバ
６０    映像／音声配信サーバ
【図２】
2015039103.tif 000003
【図３】
2015039103.tif 000004
【図４】
2015039103.tif 000005
【図５】
2015039103.tif 000006
【図６】
2015039103.tif 000007
【図７】
2015039103.tif 000008
【図９】
2015039103.tif 000009
【図１０】
2015039103.tif 000010
【図１１】
2015039103.tif 000011
【図１２】
2015039103.tif 000012
【図１３】
2015039103.tif 000013
【図１】
2015039103.tif 000014
【図８】
2015039103.tif 000015